(57)【要約】【課題】カバーを交換することができるバックパック構造を提供する。【解決手段】本考案に係るバックパック構造は、収容スペースを有し物品を収容するためのバックパック本体１０と、バックパック本体１０に脱着可能に装着され、バックパック本体１０の少なくとも一つの表面を覆うためのカバー２０とを備えている。このカバー２０がバックパック本体１０に脱着可能に装着されているので、使用者は必要に応じて異なるカバーを交換することができてバックパック外観の色や模様の変化性が向上し、さらに充電装置または表示装置を有するカバーを選択することができてバックパック機能選択性が向上する。【選択図】図１Ｂ
0003121960.tif 000002
【実用新案登録請求の範囲】
【請求項１】
バックパック構造において、
収容スペースを有し、物品を収容するためのバックパック本体と、
上記バックパック本体に脱着可能に装着され、上記バックパック本体の少なくとも一つの表面を覆うためのカバーと、を備えていることを特徴とする、バックパック構造。
【請求項２】
前記カバーは、ジッパー構造により前記バックパック本体に脱着可能に装着されていることを特徴とする、請求項１に記載のバックパック構造。
【請求項３】
前記カバーは、面ファスナー構造により前記バックパック本体に脱着可能に装着されていることを特徴とする、請求項１に記載のバックパック構造。
【請求項４】
前記カバーは、太陽エネルギーによる充電装置を有し、
該充電装置は、太陽電池発電モジュールと、蓄電池と、電力出力接続ポートと、を備えていることを特徴とする、請求項１に記載のバックパック構造。
【請求項５】
前記カバーは、表示装置を有し、
該表示装置は、液晶スクリーンと、スピーカーと、入力接続ポートとを備えていることを特徴とする、請求項１に記載のバックパック構造。
【考案の詳細な説明】
【技術分野】
【０００１】
本考案はバックパック構造に関し、より詳しくは、カバーを有するバックパック構造に関するものである。
【背景技術】
【０００２】
従来より、バックパックは、物品の収容のほか、造形のパーツとして機能している。一般に、異なる服装の類型に応じて異なる色や模様を有するバックパックを組み合わせている。したがって、造形の組み合わせのために、異なる色や模様の外観を有するバックパックを準備しなければならないのが通常である。
【０００３】
類型の異なるバックパックは、色や模様が異なるだけでなく、その使用される材質も異なっている。一般的に、書類かばん（ｂｒｉｅｆｃａｓｅ）は、模様が簡単或いは模様無しの地味な皮革材質であるが、レジャー用バッグパックは、一般に、防水のナイロン布、ズック又はポリエステル繊維が使用されている。用途に応じてバックパックカバーの材質の種類も多様化している。
【０００４】
機能性としては、電子製品の多様化及び普及化のため、特に携帯電話、携帯式コンピュータ、ＭＰ３プレイヤー（ＭＰ３  Ｐｌａｙｅｒ）、ＣＤプレイヤー（ｃｏｍｐａｃｔ  ｄｉｓｃ  ｐｌａｙｅｒ、コンパクトディスクプレイヤー）、ＰＤＡ（Ｐｅｒｓｏｎａｌ  Ｄｉｇｉｔａｌ  Ａｓｓｉｓｔａｎｔ、個人用携帯情報端末）等の電子製品では、アウトドアでの使用時に内蔵電池の電量がなくなって、充電を行う必要が生ずる場合がある。したがって、業界では、太陽エネルギーによる充電機能を有するバックパックが既に開発されている。それは、バックパックのカバーに太陽電池発電モジュールが装着され、これによって使用者が旅行中にも充電することが可能となるものである。
【考案の開示】
【考案が解決しようとする課題】
【０００５】
しかしながら、このような充電バックパックでは、太陽電池発電モジュールがバックパックのカバーに固定されているので、使用者が必要に応じて容易に取り外し、しかもいつでもどこでもそのカバー表面を交換することができないとともに、色や模様又は材質上の変化が不可能であった。
【０００６】
したがって、使用者の実際の使用上の需要に応じることができ、しかも、いつでもどこでも容易に着脱し、外観の色や模様を変え、または異なる材質を選択することができるバックパックの提供は、極めて重要な課題である。
【０００７】
そこで、以上のとおりの事情に鑑み、本考案は、カバーを交換することができるバックパック構造を提供することを課題とする。
また、本考案は、カバーを交換することにより太陽エネルギーによる充電機能を有するバックパック構造を提供することを課題とする。
また、本考案は、カバーを交換することにより映像表示機能を有するバックパック構造を提供することを課題とする。
また、本考案は、カバーを交換することにより音声出力機能を有するバックパック構造を提供することを課題とする。
【課題を解決するための手段】
【０００８】
上記の課題を解決するために、本考案に係るバックパック構造は、収容スペースを有し、物品を収容するためのバックパック本体と、上記バックパック本体に脱着可能に装着され上記バックパック本体の少なくとも一つの表面を覆うためのカバーとを備えている。
【考案の効果】
【０００９】
このカバーがバックパック本体に脱着可能に装着されているので、使用者は必要に応じて異なるカバーを交換することができ、バックパック外観の色や模様の変化性が向上し、さらに充電装置または表示装置を有するカバーを選択することができ、バックパック機能選択性が向上している。
【考案を実施するための最良の形態】
【００１０】
下記において特定の具体的な実施例によって本考案の実施態様を説明する。明細書に記載された内容によってこの技術に習熟した者は簡単に本考案のその他の利点や効果が理解できる。また、本考案は図示の実施の形態に限定されるものではなく、本考案の技術思想の範囲内で数々の変更態様が可能であることは言うまでもない。
【００１１】
［第１の実施形態］
本考案に係るバックパック構造の第１の実施形態を図１Ａ及び図１Ｂに示す。このバックパック構造では、収容スペースを有し、物品を収容するためのバックパック本体１０と、ジッパー構造４０によりバックパック本体１０の背面部１２に脱着可能に装着され、バックパック本体１０の少なくとも一つの表面を覆うためのカバー２０とを備えている。このバックパック１０の背面部１２とカバー２０との接続端部には、互いに対向して接合されているジッパー構造４０Ａ、４０Ｂがそれぞれ設けられている。ジッパー構造４０Ａ、４０Ｂの接合によりカバー２０がバックパック１０の背面部１２に装着され、ジッパー構造４０Ａ、４０Ｂをその一端を引いて分離させることによりカバー２０が取り外されることとなる。
【００１２】
［第２の実施形態］
本考案に係るバックパック構造の第２の実施形態を図２Ａ及び図２Ｂに示す。このバックパック構造では、収容スペースを有し、物品を収容するためのバックパック本体１０と、マジックテープ（登録商標）で代表されるような面ファスナー構造５０によりバックパック本体１０に脱着可能に装着され、バックパック本体１０の少なくとも一つの表面を覆うためのカバー２０とを備えている。このバックパック１０の背面部１２とカバー２０との接続端部には、接着可能の面ファスナー５０Ａ及び５０Ｂがそれぞれ設けられている。面ファスナー５０Ａ及び５０Ｂの接合によりカバー２０がバックパック１０の背面部１２に装着され、面ファスナー５０Ａ及び５０Ｂをその一端を剥して分離させることによりカバー２０が取り外されることとなる。
【００１３】
カバー２０がバックパック本体１０の背面部１２に装着された後、カバー２０を閉合することによりそれがバックパック本体の上表面に被覆され、すなわち、図３Ａに示すように、バックパックの主要な外観となっている。地味で装飾のないバックパックでは、異なるカバー２０’を交換することにより、図３Ｂに示すように、バックパックの外観の色や模様が変換されるようになる。使用者は、必要に応じて各タイプの画像装飾、文字標識、模様、標章、紋様等の装飾、又は異なる材質のカバーを選択することができ、バックパックの外観の変化性が向上している。
【００１４】
［第３の実施形態］
本考案に係るバックパック構造では、カバーを異なる機能性装置と結合させてもよい。本考案に係る第３の実施形態を図４に示す。このバックパック構造では、収容スペースを有し、物品を収容するためのバックパック本体１０と、ボタン構造（図示せず）によりバックパック本体１０の背面部１２に脱着可能に装着され、バックパック本体１０の少なくとも一つの表面を覆うためのカバー２０とを備えている。この実施形態において、このバックパックのカバー２０は、太陽エネルギーによる充電装置を有し、この充電装置は、太陽電池発電モジュール６０と、蓄電池６２と、電力出力接続ポート６４とを備えている。太陽電池発電モジュール６０により光があるところで充電し蓄電池６２に蓄積することができ、電力出力接続ポート６４により携帯通信装置又は携帯式ＡＶ装置等の器材、例えば携帯電話、携帯式コンピュータ、ＰＤＡ、ＭＰ３プレイヤー又はＣＤプレイヤーに必要な電源を提供することができる。
【００１５】
［第４の実施形態］
本考案に係る第４の実施形態を図５Ａ及び図５Ｂに示す。このバックパック構造では、収容スペースを有し、物品を収容するためのバックパック本体１０と、ジッパー構造４０によりバックパック本体１０の背面部１２に脱着可能に装着され、バックパック本体１０の少なくとも一つの表面を覆うためのカバー２０とを備えている。このバックパック１０の背面部１２とカバー２０との接続端部には、互いに対向して接合されているジッパー構造がそれぞれ設けられている。前記ジッパー構造の接合によりカバー２０がバックパック１０の背面部１２に装着され、前記ジッパー構造をその一端を引いて分離させることによりカバー２０が取り外されることとなる。この実施形態において、バックパックのカバー２０は表示装置を有し、この表示装置が液晶スクリーン７０、スピーカー７２及び入力接続ポート７４を備えている。ＣＤ又はＤＶＤ（Ｄｉｇｉｔａｌ  Ｖｒｅｓａｔｉｌｅ  Ｄｉｓｃ；  デジタル・ヴァーサタイル・ディスク）プレイヤーと組み合わせて使用し、入力接続ポートを介して映像又は音声メッセージが表示装置に入力され、液晶スクリーン７０とスピーカー７２とから出力されることにより、いつでもどこでも番組の観賞や広告のデモンストレーション活動を行うことができるともに、音声効果や音楽を提供することができる。一方、デジタルテレビの受信機と組み合わせて使用し、いつでもどこでもテレビ番組の観賞の効果が図られる。本考案に係るバックパック本体１０では、さらに、両側にポケット１４がそれぞれ設けられ、随時に制御を行うことができるように、そのポケットに上記のような電気製品を収容することができる。
【００１６】
上記のように、これらの実施の形態は、バッグパックの改良構造の主要な実施形態を例示する目的で示すものであり、本考案は、これらによって何ら限定されるものではない。本考案に係る実質的な技術内容は、実用新案登録請求の範囲に定義される。本考案はこの技術分野に精通したものが実用新案登録請求の範囲を脱しない範囲で色々な修飾や変更が可能であり、そうした修飾や変更は本考案の請求範囲に入るものである。
【図面の簡単な説明】
【００１７】
【図１Ａ】本考案に係るバックパック構造の第１の実施例形態を模式的に示した図である。
【図１Ｂ】本考案に係るバックパック構造の第１の実施例形態を模式的に示した図である。
【図２Ａ】本考案に係るバックパック構造の第２の実施例形態を模式的に示した図である。
【図２Ｂ】本考案に係るバックパック構造の第２の実施例形態を模式的に示した図である。
【図３Ａ】本考案に係るバックパック構造の使用状態を模式的に示した図である。
【図３Ｂ】本考案に係るバックパック構造の使用状態を模式的に示した図である。
【図４】本考案に係るバックパック構造の第３の実施例形態を模式的に示した図である。
【図５Ａ】本考案に係るバックパック構造の第４の実施例形態を模式的に示した図である。
【図５Ｂ】本考案に係るバックパック構造の第４の実施例形態を模式的に示した図である。
【符号の説明】
【００１８】
１０  バックパック本体
１２  背面部
１４  ポケット
２１  カバー
４０、４０Ａ、４０Ｂ  ジッパー構造
５０  面ファスナー構造
５０Ａ、５０Ｂ  マジックテープ（登録商標）
６０  太陽電池発電モジュール
６２  蓄電池
６４  電力出力ポート
７０  液晶スクリーン
７２  スピーカー
７４  出力接続ポート
【図１Ａ】
0003121960.tif 000003
【図１Ｂ】
0003121960.tif 000004
【図２Ａ】
0003121960.tif 000005
【図２Ｂ】
0003121960.tif 000006
【図３Ａ】
0003121960.tif 000007
【図３Ｂ】
0003121960.tif 000008
【図４】
0003121960.tif 000009
【図５Ａ】
0003121960.tif 000010
【図５Ｂ】
0003121960.tif 000011